(57)【要約】【課題】  効率的に特定の特徴の顔が映った映像を復号する動画像処理システムを提供する。【解決手段】  符号化部は、動画像の各フレームについて人物の顔を含む顔領域を検出し、その検出結果を示す顔検出結果データを生成する顔領域処理手段と、動画像を符号化して動画像符号化データを生成する符号化処理手段と、顔検出結果データと、動画像符号化データとを含むデータを出力する符号化側出力手段とを有する。また、復号部は、符号化部が出力したデータを取得するデータ取得手段と、少なくとも顔検出結果データを利用して、動画像符号化データから、一部のフレームを抽出して復号し、復号動画像を取得する復号処理手段とを有する。【選択図】      図１
2018137639.tif 000002
【特許請求の範囲】
【請求項１】
符号化部と復号部を備える動画像処理システムにおいて、
前記符号化部は、
動画像の各フレームについて人物の顔を含む顔領域を検出し、その検出結果を示す顔検出結果データを生成する顔領域処理手段と、
前記動画像を符号化して動画像符号化データを生成する符号化処理手段と、
前記顔検出結果データと、前記動画像符号化データとを含むデータを出力する符号化側出力手段とを有し、
前記復号部は、
前記符号化部が出力したデータを取得するデータ取得手段と、
少なくとも前記顔検出結果データを利用して、前記動画像符号化データから、一部のフレームを抽出して復号し、復号動画像を取得する復号処理手段とを有する
ことを特徴とする動画像処理システム。
【請求項２】
前記符号化処理手段は、顔領域を含むフレームを符号化する際に、顔領域と顔領域以外の非顔領域とで異なる符号化処理を行うことを特徴とする請求項１に記載の動画像処理システム。
【請求項３】
前記復号処理手段は、前記顔検出結果データに基づいて、前記動画像符号化データから、顔領域を含むフレームのみを抽出して復号して前記復号動画像を取得することを特徴とする請求項１又は２に記載の動画像処理システム。
【請求項４】
前記復号処理手段は、顔領域を含むフレームのそれぞれの顔領域について認識処理を行い、設定された検索条件に該当する顔領域を含むフレームを抽出し、抽出したフレームのみで構成された動画像を前記復号動画像として取得することを特徴とする請求項３に記載の動画像処理システム。
【請求項５】
前記顔領域処理手段は、前記動画像の各フレームで顔領域を含むフレームを検出した場合、当該フレーム内の顔領域の位置情報を取得し、
前記顔検出結果データには、顔領域を含むフレーム内の顔領域の位置情報が含まれており、
前記復号処理手段は、前記顔検出結果データの位置情報を利用して顔領域を含むフレームの顔領域を抽出して認識処理を行う
ことを特徴とする請求項４に記載の動画像処理システム。
【請求項６】
前記顔領域処理手段は、顔領域を検出したフレームの顔領域について、設定された認識内容に従った内容の認識処理を行い、その認識処理結果を示す顔認識結果データを生成し、
前記符号化側出力手段が出力するデータには、さらに前記顔認識結果データも含まれており、
前記復号処理手段は、前記顔検出結果データ及び前記顔認識結果データに基づき、設定された検索条件に該当する顔領域を含むフレームを抽出し、抽出したフレームのみを復号して前記復号動画像を生成する
ことを特徴とする請求項１又は２に記載の動画像処理システム。
【請求項７】
動画像の各フレームについて人物の顔を含む顔領域を検出し、その検出結果を示す顔検出結果データを生成する顔領域処理手段と、
前記動画像を符号化して動画像符号化データを生成する符号化処理手段と、
前記顔検出結果データと、前記動画像符号化データとを含むデータを出力する符号化側出力手段と
を有することを特徴とする符号化装置。
【請求項８】
コンピュータを、
動画像の各フレームについて人物の顔を含む顔領域を検出し、その検出結果を示す顔検出結果データを生成する顔領域処理手段と、
前記動画像を符号化して動画像符号化データを生成する符号化処理手段と、
前記顔検出結果データと、前記動画像符号化データとを含むデータを出力する符号化側出力手段と
して機能させることを特徴とする符号化プログラム。
【請求項９】
動画像を符号化した動画像符号化データと、前記動画像で人物の顔を含む顔領域を検出した検出結果を示す顔検出結果データとを含むデータを取得するデータ取得手段と、
少なくとも前記顔検出結果データを利用して、前記動画像符号化データから、一部のフレームを抽出して復号し、復号動画像を取得する復号処理手段と
を有することを特徴とする復号装置。
【請求項１０】
コンピュータを、
動画像を符号化した動画像符号化データと、前記動画像で人物の顔を含む顔領域を検出した検出結果を示す顔検出結果データとを含むデータを取得するデータ取得手段と、
少なくとも前記顔検出結果データを利用して、前記動画像符号化データから、一部のフレームを抽出して復号し、復号動画像を取得する復号処理手段と
して機能させることを特徴とする復号プログラム。
【発明の詳細な説明】
【技術分野】
【０００１】
この発明は、動画像処理システム、並びに、符号化装置及びプログラム、並びに、復号装置及びプログラムに関し、例えば、カメラで撮影した映像（動画像）のデータを圧縮符号化（符号化）して伝送するシステムに適用し得る。
【背景技術】
【０００２】
従来、カメラで撮影した映像の映像データを圧縮する技術としては、例えば、特許文献１の記載技術がある。特許文献１の記載技術では、映像の各フレームについて顔検出処理を行うことにより顔が映った領域（以下、「顔領域」とも呼ぶ）を求め、顔以外の領域（以下、「非顔領域」とも呼ぶ）よりも顔領域に多くの符号量を割り当てることで、顔領域を高画質にした圧縮符号化を行う。また、特許文献１の記載技術は、ビデオカメラにも適用できる。
【先行技術文献】
【特許文献】
【０００３】
【特許文献１】特開２００７−２９５３７０号公報
【発明の概要】
【発明が解決しようとする課題】
【０００４】
しかしながら、特許文献１に記載の技術では、圧縮符号化されたデータから特定の特徴の人物（例えば、ある特定の人物、あるいは「２０代・女性」等の特定の属性の人物）が写っている映像シーンを検索表示する場合、いったん圧縮符号化された動画像をすべて復号して改めて顔検出を行い、検出された顔に対して認識処理（例えば、個人識別や性別年齢推定等）を行う必要がある。
【０００５】
そのため、効率的に特定の特徴の顔が映った映像を復号することができる動画像処理システム、並びに、符号化装置及びプログラム、並びに、復号装置及びプログラムが望まれている。
【課題を解決するための手段】
【０００６】
第１の本発明は、符号化部と復号部を備える動画像処理システムにおいて、（１）前記符号化部は、（１−１）動画像の各フレームについて人物の顔を含む顔領域を検出し、その検出結果を示す顔検出結果データを生成する顔領域処理手段と、（１−２）前記動画像を符号化して動画像符号化データを生成する符号化処理手段と、（１−３）前記顔検出結果データと、前記動画像符号化データとを含むデータを出力する符号化側出力手段とを有し、（２）前記復号部は、（２−１）前記符号化部が出力したデータを取得するデータ取得手段と、（２−２）少なくとも前記顔検出結果データを利用して、前記動画像符号化データから、一部のフレームを抽出して復号し、復号動画像を取得する復号処理手段とを有することを特徴とする。
【０００７】
第２の本発明の符号化装置は、（１）動画像の各フレームについて人物の顔を含む顔領域を検出し、その検出結果を示す顔検出結果データを生成する顔領域処理手段と、（２）前記動画像を符号化して動画像符号化データを生成する符号化処理手段と、（３）前記顔検出結果データと、前記動画像符号化データとを含むデータを出力する符号化側出力手段とを有することを特徴とする。
【０００８】
第３の本発明の符号化プログラムは、コンピュータを、（１）動画像の各フレームについて人物の顔を含む顔領域を検出し、その検出結果を示す顔検出結果データを生成する顔領域処理手段と、（２）前記動画像を符号化して動画像符号化データを生成する符号化処理手段と、（３）前記顔検出結果データと、前記動画像符号化データとを含むデータを出力する符号化側出力手段として機能させることを特徴とする。
【０００９】
第４の本発明の復号装置は、（１）動画像を符号化した動画像符号化データと、前記動画像で人物の顔を含む顔領域を検出した検出結果を示す顔検出結果データとを含むデータを取得するデータ取得手段と、（２）少なくとも前記顔検出結果データを利用して、前記動画像符号化データから、一部のフレームを抽出して復号し、復号動画像を取得する復号処理手段とを有することを特徴とする。
【００１０】
第５の本発明の復号プログラムは、コンピュータを、（１）動画像を符号化した動画像符号化データと、前記動画像で人物の顔を含む顔領域を検出した検出結果を示す顔検出結果データとを含むデータを取得するデータ取得手段と、（２）少なくとも前記顔検出結果データを利用して、前記動画像符号化データから、一部のフレームを抽出して復号し、復号動画像を取得する復号処理手段として機能させることを特徴とする。
【発明の効果】
【００１１】
本発明によれば、効率的に特定の特徴の顔が映った映像を復号する動画像処理システムを提供することができる。
【図面の簡単な説明】
【００１２】
【図１】第１の実施形態に係るカメラシステム（動画像処理システム）の構成について示したブロック図である。
【図２】第１の実施形態に係る検索条件情報の構成例について示した説明図である。
【図３】第１の実施形態に係るカメラシステムで処理される映像（フレーム）の遷移の例について示した説明図である。
【図４】第１の実施形態に係る符号化部（符号化装置）の動作について示したフローチャートである。
【図５】第１の実施形態に係る復号部（復号装置）の動作について示したフローチャートである。
【図６】第２の実施形態に係るカメラシステム（動画像処理システム）の構成について示したブロック図である。
【図７】第２の実施形態に係る認識内容情報の構成例について示した説明図である。
【図８】第２の実施形態に係る検索条件情報の構成例について示した説明図である。
【図９】第２の実施形態に係るカメラシステムで処理される映像（フレーム）の遷移の例について示した説明図である。
【図１０】第２の実施形態に係る符号化部（符号化装置）の動作について示したフローチャートである。
【図１１】第２の実施形態に係る復号部（復号装置）の動作について示したフローチャートである。
【発明を実施するための形態】
【００１３】
（Ａ）第１の実施形態
以下、本発明による動画像処理システム、並びに、符号化装置及びプログラム、並びに、復号装置及びプログラムの第１の実施形態を、図面を参照しながら詳述する。以下では、本発明の映像処理システム、符号化装置、復号装置を、それぞれカメラシステム、符号化部、及び復号部に適用した例について説明する。
【００１４】
（Ａ−１）第１の実施形態の構成
図１は、第１の実施形態に係るカメラシステム１の全体構成について示したブロック図である。
【００１５】
カメラシステム１には、カメラ３００、符号化部１００（撮影側の装置）、及び復号部２００（検索側の装置）が配置されている。
【００１６】
カメラ３００は、撮像（撮影）した映像（動画像）の映像データ（映像信号）を符号化部１００に供給する。なお、この実施形態では、カメラ３００で撮影された映像の映像データがリアルタイムに符号化部１００に供給されるものとして説明するが、ハードディスクドライブやメモリカード等のデータ記録媒体に記録された映像データをオフラインで符号化部１００に供給するようにしてもよい。カメラ３００としては、デジタルカメラ、監視カメラ等の種々のカメラを適用することができる。
【００１７】
この実施形態では、カメラシステム１は、符号化部１００、復号部２００、及びカメラ３００の３つの装置で構成されている例について説明するが、カメラシステム１を構成する装置の数や各装置に搭載する機能の組み合わせは限定されないものである。例えば、図１に示すカメラシステム１の構成をすべて１つの装置で構成するようにしてもよい。
【００１８】
カメラシステム１の用途は限定されないものではあるが、例えば、カメラ３００で銀行やコンビニエンスストア等の店舗で撮影した映像（動画像）から、特定の人物や特定の属性の人物が写ったシーンのフレームを抽出して出力することに用いることができる。
【００１９】
符号化部１００は、カメラ３００等により入力された映像を圧縮符号化（符号化）した圧縮データＤ１０を生成して出力するものである。符号化部１００が圧縮データＤ１０を出力する出力形式については限定されないものである。符号化部１００は、例えば、ハードディスクドライブやメモリカード等のデータ記録媒体に圧縮データＤ１０を書き込むようにしてもよいし、通信により復号部２００側にデータ送信（伝送）するようにしてもよい。また、符号化部１００は、通信により復号部２００へ圧縮データＤ１０を送信する場合、リアルタイムに（例えば、フレームごとに）、復号部２００へ圧縮データＤ１０を送信するようにしてもよいし、復号部２００へ一括したファイルで圧縮データＤ１０を送信するようにしてもよい。符号化部１００及び圧縮データＤ１０の詳細構成については後述する。
【００２０】
復号部２００は、圧縮データＤ１０が供給されると、圧縮データＤ１０を復号した映像に基づく出力を行う。具体的には、復号部２００は、圧縮データＤ１０を復号した映像に基づくデータ（以下、「出力データＤ２０」と呼ぶ）又は、圧縮データＤ１０を復号した映像(復号映像)の信号（例えば、ディスプレイに直接供給可能な形式の信号）を出力する。復号部２００に圧縮データＤ１０を入力（供給）する方式、及び復号部２００が出力データ２０又は映像信号を出力する方式については限定されないものである。復号部２００は、例えば、ハードディスクドライブやメモリカード等のデータ記録媒体を用いて、データの入出力（圧縮データＤ１０の入力及び出力データ２０の出力）を行うようにしてもよいし、通信によりデータの入出力を行うようにしてもよい。
【００２１】
次に、符号化部１００の内部構成について説明する。
【００２２】
符号化部１００は、顔検出部１０１、映像圧縮部１０２、及びデータ出力部１０３を有している。
【００２３】
符号化部１００は、例えば、プロセッサ及びメモリを有するプログラムの実施構成（コンピュータ）にプログラム（実施形態に係る符号化プログラムを含む）をインストールすることにより構成してもよい。
【００２４】
顔検出部１０１は、カメラ３００から供給された映像の各フレームから人物の顔を検出する処理（以下、「顔検出処理」と呼ぶ）を行い、その結果を示すデータ（以下、「顔認識結果データ」と呼ぶ）を生成する。顔検出部１０１は、顔認識結果データとして、顔検出処理の結果として顔検出がされたフレーム（以下、「顔映像フレーム」と呼ぶ）を特定するための時刻情報と、当該顔映像フレームにおいて顔映像が検出された位置（顔領域）を特定する位置情報とを含むデータを生成する。顔検出結果データを構成する時刻情報は、顔映像フレームを特定可能（例えば、時間軸上やフレーム列上で特定可能）な情報であればよく、例えば、先頭からの時刻情報や先頭からのフレーム順序を示す情報としてもよい。顔検出データを構成する位置情報は、フレーム内で顔領域の位置（範囲）を特定することができればよく、例えば、顔領域を特定するための座標やベクタ形式の情報を適用することができる。なお、１つの顔映像フレームに複数の顔領域が存在する場合もあり得る。
【００２５】
映像圧縮部１０２は、顔検出部１０１による顔検出処理結果（顔検出結果データ）を利用して、カメラ３００から供給されるフレームについて圧縮符号化（符号化）を行って、圧縮映像データを生成する。映像圧縮部１０２は、顔映像フレームについては、例えば、特許文献１に記載されるように、顔領域と非顔領域とで異なる圧縮符号化処理（符号化処理）を行う。具体的には、例えば、映像圧縮部１０２は、特許文献１に記載されるように、顔領域と非顔領域で異なる符号量を割り当てる（異なるレートで符号化処理を行う）など、目的に応じた圧縮符号化処理を行うようにしてもよい。
【００２６】
データ出力部１０３は、映像圧縮部１０２で生成された圧縮映像データと顔検出部１０１で生成された顔検出結果データとを含む所定の形式の圧縮データＤ１０を出力する。例えば、データ出力部１０３が、動画像の標準符号化方式であるＨ．２６４形式で圧縮データＤ１０を出力する場合には、圧縮映像データの付加情報としてその他の情報（この実施形態では顔検出結果データ）を一体化させることが可能である。また、映像圧縮データと顔検出結果データを個別のデータ（ファイル）として出力するようにしてもよい。
【００２７】
次に、復号部２００の内部構成について説明する。
【００２８】
復号部２００は、顔検出結果読み取り部２０１、顔映像復号部２０２、顔認識部２０３、及び結果出力部２０４を有している。
【００２９】
復号部２００は、例えば、プロセッサ及びメモリを有するプログラムの実施構成（コンピュータ）にプログラム（実施形態に係る復号プログラムを含む）をインストールすることにより構成してもよい。
【００３０】
顔検出結果読み取り部２０１は、供給された圧縮データＤ１０から、圧縮映像データと顔検出結果データを読み込む。
【００３１】
顔映像復号部２０２は、顔検出結果データに含まれる顔映像フレームの時刻情報に基づき、顔映像フレームのみ圧縮映像データから復号した映像（以下、「第１の復号映像」と呼ぶ）を取得し、顔認識部２０３に供給する。
【００３２】
顔認識部２０３は、第１の復号映像の顔領域について、設定された検索条件情報２０３ａに該当するか否かを認識する処理を行う。また、顔認識部２０３は、顔検出結果データで示された位置情報（顔領域を示した位置情報）に基づき、顔映像フレームの顔領域のみを抽出して顔認識を行い、検索条件情報２０３ａの条件と照合する。顔認識部２０３が顔認識処理（検索処理）する際の具体的な処理方式については限定されず、種々の顔認識の処理を適用することができる。
【００３３】
検索条件情報２０３ａは、顔映像フレームの顔映像の特徴について認識（分析）する内容を定義した情報である。例えば、検索条件情報２０３ａとしては、「特性の人物の顔の特徴と照合して閾値以上の一致度となること」や、「女性で、かつ、２０代であること」等を示す情報が設定される。検索条件情報２０３ａを定義する具体的な形式については限定されないものであるが、例えば、上述のような検索条件を表す論理式や、プログラム言語で記述した内容を設定するようにしてもよい。
【００３４】
図２は、検索条件情報２０３ａの構成例について示した説明図である。
【００３５】
図２に示すように、検索条件情報２０３ａは、例えば、検索条件種別を表すコードと、付加情報の組み合わせで構成することができる。検索条件情報２０３ａにおいて、検索条件種別に対応する付加情報を複数付加することもできる。各付加情報は可変長であることを考慮して、データ長を示す「バイト数」と、付加情報自体の組み合わせで構成するものとする。各付加情報の意味は、検索条件種別に対応する条件で規定（定義）されるものとする。
【００３６】
例えば、「特定の人物の顔の特徴と照合して閾値以上の一致度となること」を表す検索条件情報２０３ａは、図２（ａ）、図２（ｂ）のような内容となる。
【００３７】
図２（ａ）に示す検索条件情報２０３ａでは、検索条件種別として、「付加情報１に設定された顔特徴との一致度が付加情報２に設定された閾値以上であること」を示す「１」が設定され、付加情報１として顔特徴情報（３４００バイト）が設定され、付加情報２として一致度閾値（４バイト）が設定されている。図７（ａ）に示す検索条件情報２０３ａが設定されている場合、顔認識部２０３は、検索条件種別「１」の規定に従って、付加情報１に設定された顔特徴情報（３４００バイト）と、顔映像フレームから取得した顔領域に映った顔の特徴量との一致度が、付加情報２の一致度閾値以上であるか否かを判断する処理を行うことになる。
【００３８】
なお、図２（ｂ）に示すように、検索条件情報２０３ａにおいて、付加情報１の顔特徴情報については、顔特徴情報自体ではなく、照合する顔特徴が格納されたデータベースのインデックス（４バイト）で示すようにしてもよい。この場合、顔特徴を格納するデータベースの場所について限定されないものであるが、復号部２００自体でもよいし、他のコンピュータ（例えば、図示しないファイルサーバやクラウド上等）としてもよい。
【００３９】
また、例えば、「性別・年齢を認識（推定）すること」を表す検索条件情報２０３ａは、図２（ｃ）のような内容となる。図２（ｃ）に示す検索条件情報２０３ａでは、検索条件種別として、「年齢範囲および性別が付加情報１〜３に設定された指定条件に合致すること」を示す「３」が設定され、付加情報１として性別（４バイト）が設定され、付加情報２として年齢範囲下限値（４バイト）が設定され、付加情報３として年齢上限値（４バイト）が設定されている。図２（ｃ）に示す認識内容情報１０３ａが設定されている場合、顔認識部２０３は、検索条件種別「３」の規定に従って、顔映像フレームから取得した顔領域に映った顔の特徴量が、付加情報１に設定された性別（女性）で、かつ、付加情報２、３に設定された年齢範囲（２０才〜２９才）に合致するか否かを判断する処理を行うことになる。
【００４０】
そして、顔認識部２０３は、検索条件情報２０３ａに合致した顔のみが映っているフレームで構成された映像（以下、「第２の復号映像」と呼ぶ）を取得してデータ出力部１０３に供給する。
【００４１】
顔認識部２０３において、検索条件情報２０３ａはユーザの操作等により任意の情報を設定することが可能である。顔認識部２０３において、検索条件情報２０３ａの入力をユーザから受け付ける方式は限定されないものである。顔認識部２０３では、例えば、テキストファイル等の所定の形式のファイル受信により検索条件情報２０３ａの入力を受け付けるようにしてもよいし、ＧＵＩ等の操作画面（例えば、Ｗｅｂ画面）を用いて入力を受け付けるようにしてもよい。
【００４２】
そして、データ出力部１０３は、第２の復号映像に基づく出力データＤ２０又は第２の復号映像の映像信号を出力する。
【００４３】
（Ａ−２）第１の実施形態の動作
次に、本発明の第１の実施例におけるカメラシステム１の動作について説明する。
【００４４】
まず、第1の実施形態のカメラシステム１における画像処理の流れについて説明する。
【００４５】
図３は、カメラシステム１における画像処理の遷移について示した説明図である。
【００４６】
図３（ａ）は、カメラ３００で撮影した映像のフレームの例について示している。図３（ａ）には人物の顔が映ったフレームＦ１０１が図示されている。
【００４７】
図３（ｂ）は、フレームＦ１０１について顔検出部１０１で行った顔検出結果の例を示す図である。図３（ｂ）では、フレームＦ１０１において顔を検出した顔領域を点線で囲って図示している。
【００４８】
図３（ｃ）は、フレームＦ１０１について映像圧縮部１０２で圧縮符号化処理（符号化処理）した処理結果（圧縮映像データ）の例について示している。図３（ｃ）では、顔領域の部分を点線で囲み、非顔領域（顔領域以外）の部分にハッチ（斜線）を付して図示している。映像圧縮部１０２は、顔領域の部分（点線で囲まれた部分）と非顔領域の部分（ハッチを付した部分）とで異なる圧縮符号化処理（符号化処理）を行うようにしてもよい。具体的には、映像圧縮部１０２では、フレームＦ１０１を圧縮符号化処理（符号化処理）する際に、顔領域の部分（点線で囲まれた部分）よりも顔領域以外の領域（ハッチを付した部分）についてデータ量が小さくなる圧縮処理（符号量が少なくなる圧縮処理）を行うようにしてもよい。言い換えると、映像圧縮部１０２では、フレームＦ１０１を圧縮符号化処理（符号化処理）する際に、顔領域の部分（点線で囲まれた部分）について、顔領域以外の領域（ハッチを付した部分）よりも多くの符号量を割り当てた圧縮処理（より画質の劣化の少ないレートの高い符号化処理）を行うようにしてもよい。
【００４９】
図３（ｄ）は、顔映像復号部２０２で、顔検出結果データ（時刻情報）に基づいて、圧縮映像データから顔映像フレームであるフレームＦ１０１を特定し、圧縮映像データからフレームＦ１０１を復号する処理（第１の復号映像を生成する処理の例）について示している。顔映像復号部２０２では、顔映像フレーム（フレームＦ１０１）を復号する際に、顔領域の部分（点線で囲まれた部分）と、非顔領域（ハッチを付した部分）について、それぞれ対応する復号処理で復号処理を行う。これは、映像圧縮部１０２で、顔領域の部分と非顔領域の部分とで異なる圧縮処理（符号化処理）がなされているためである。
【００５０】
図３（ｅ）は、顔認識部２０３で、第１の復号映像を構成するフレームＦ１０１（図３（ｄ）の画像）から、顔検出結果データ（顔映像フレーム内における顔領域の位置情報）に基づき、顔認識処理を行う顔領域のみ（図３（ｄ）の顔領域のみ）を抽出した状態を表した図である。
【００５１】
次に、符号化部１００の動作の例について図４のフローチャートを用いて説明する。
【００５２】
まず、カメラ３００で撮像された映像のフレームが符号化部１００に供給されたものとする（Ｓ１０１）。
【００５３】
次に、顔検出部１０１が、カメラ３００から供給されたフレーム（以下、このフレームを「注目フレーム」と呼ぶ）について顔検出処理を行い、顔映像（顔領域）が含まれているか否か（顔が映っているか否か）を判定する（Ｓ１０２）。このとき、顔検出部１０１は、顔の大きさや向きも考慮し、注目フレームに正面から所定以上の大きさで撮影された顔であるか否かを判定するようにしてもよい。顔検出部１０１は、注目フレームに顔映像（顔領域）が含まれている場合には後述するステップＳ１０３から動作し、そうでない場合には後述するステップＳ１０６から動作する。
【００５４】
上述のステップＳ１０２で、注目フレームに顔映像が含まれている判定された場合、顔検出部１０１は、当該注目フレームを特定する時刻情報と、当該注目フレーム内の顔領域を特定する位置情報とを含む顔検出結果データを生成する（Ｓ１０３）。
【００５５】
次に、映像圧縮部１０２は、顔検出結果データの位置情報に基づいて、注目フレームの顔領域と非顔領域とで異なる圧縮符号化処理（符号化処理）を行い、注目フレームの圧縮映像データを生成する（Ｓ１０４）。
【００５６】
一方、上述のステップＳ１０２で、注目フレームに顔映像（顔領域）が含まれていないと判定された場合、映像圧縮部１０２は、注目フレームについて、特に区別せずに（顔領域も非顔領域も同じ方式で）、全体を圧縮符号化処理（符号化処理）して、注目フレームの圧縮映像データを生成する（Ｓ１０６）。
【００５７】
上述のステップＳ１０４又はステップＳ１０６で注目フレームの圧縮映像データが生成されると、データ出力部１０３は、当該映像圧縮データを含むデータ（顔検出結果データが生成されていた場合当該顔検出結果データを付加したデータ）を圧縮データＤ１０として出力する（Ｓ１０５）。データ出力部１０３は、所定の方式により圧縮データＤ１０を蓄積（例えば、データ記録媒体に蓄積）又は伝送（例えば、復号部２００に送信）する処理を行う。なお、データ出力部１０３は、圧縮映像データと、顔検出結果データとを別個のデータ（ファイル）として出力するようにしてもよい。
【００５８】
次に、復号部２００の動作の例について図５のフローチャートを用いて説明する。
【００５９】
復号部２００では、符号化部１００で生成された圧縮データＤ１０が供給されると、顔検出結果読み取り部２０１により当該圧縮データＤ１０の顔検出結果データの時刻情報が読み取られ、顔映像復号部２０２により圧縮データＤ１０の圧縮映像データにおける顔映像フレームが特定される（Ｓ２０１）。
【００６０】
顔映像復号部２０２は、復号部２００で顔映像フレームと特定されたフレームについてのみ圧縮映像データから復号して第１の復号映像を得る（Ｓ２０２）。
【００６１】
次に、顔認識部２０３が第１の復号映像の各フレームについて、検索条件情報２０３ａの条件に該当する顔映像が含まれているか否かを確認する顔認識処理を行い、該当する顔映像を含むフレームのみを抽出し、第２の復号映像として取得する（Ｓ２０３）。このとき、顔認識部２０３は、顔検出結果データで示された位置情報（顔領域を示した位置情報）に基づき、顔映像フレームの顔領域のみを抽出して顔認識を行い、検索条件情報２０３ａの条件と照合する。
【００６２】
次に、結果出力部２０４は、第２の復号映像に基づく出力データＤ２０（又は、第２の復号映像に基づく映像信号）を出力する（Ｓ２０４）。
【００６３】
その後、復号部２００は、ユーザから顔認識部２０３に設定する検索条件情報２０３ａの内容変更を受け付け、繰り返しステップＳ２０１の処理を実行することが可能である。ユーザは、所望の結果（所望の映像の出力データＤ２０又は映像信号）が得られるまで、繰り返し復号部２００に処理を実行させることができる。
【００６４】
（Ａ−３）第１の実施形態の効果
第１の実施形態によれば、以下のような効果を奏することができる。
【００６５】
第１の実施形態のカメラシステム１では、符号化部１００（撮影側）で、カメラ３００で撮影した映像（動画像）の顔検出処理を行い、顔検出結果データを生成している。そして、復号部２００で顔検出結果データを読み取ることで、顔映像フレーム（顔が写っている映像）のみを復号して顔認識処理を行い、検索条件情報２０３ａに基づいた検索を行うことができる。例えば、復号部２００において、撮影・蓄積された圧縮映像データから特定の人物（あるいは所定の属性の人物）が写っているシーンを検索表示する場合、すべてのフレームを復号して顔検出することなく、効率的に顔認識処理を行い検索することが可能となる。すなわち、第１の実施形態のカメラシステム１では、符号化部１００で顔検出結果データを生成して、復号部２００で読み取ることで、撮影した映像から所定の映像シーンを効率的に検索表示することを可能とする。
【００６６】
（Ｂ）第２の実施形態
以下、本発明による動画像処理システム、並びに、符号化装置及びプログラム、並びに、復号装置及びプログラムの第２の実施形態を、図面を参照しながら詳述する。以下では、本発明の映像処理システム、符号化装置、復号装置を、それぞれカメラシステム、符号化部、及び復号部に適用した例について説明する。
【００６７】
（Ｂ−１）第２の実施形態の構成
図６は、第２の実施形態のカメラシステム１Ａの全体構成について示した説明図である。
【００６８】
カメラシステム１Ａでは、符号化部１００と復号部２００が、それぞれ符号化部１００Ａ及び復号部２００Ａに置き換わっている。
【００６９】
次に、符号化部１００Ａの構成について説明する。
【００７０】
符号化部１００Ａでは、顔検出部１０１が顔検出／認識部１０４に置き換わっている点で第１の実施形態と異なっている。
【００７１】
顔検出／認識部１０４は、カメラ３００から供給された映像の各フレームについて、顔検出処理を行い、顔映像（顔領域）を含むフレーム（顔映像フレーム）であるか否かを判断する。そして、顔検出／認識部１０４は、顔映像フレームの顔映像を、保持している認識内容情報１０４ａに従って認識処理する。認識内容情報１０４ａは、顔映像フレームの顔映像について認識（分析）する内容を定義した情報である。例えば、認識内容情報１０４ａとしては、「特性の人物の顔の特徴と照合して一致度を認識すること」や、「性別・年齢を認識（推定）すること」等を示す情報が設定される。認識内容情報１０４ａを定義する具体的な形式については限定されないものであるが、例えば、上述のような検索条件を論理式や、プログラム言語で記述した内容を設定するようにしてもよい。
【００７２】
図７は、認識内容情報１０４ａの構成例について示した説明図である。
【００７３】
図７に示すように、認識内容情報１０４ａは、例えば、認識条件種別を表すコードと、付加情報の組み合わせで構成することができる。また、認識内容情報１０４ａにおいて、認識条件種別に対応する付加情報を複数付加するようにしてもよいし、付加情報を付加せずに設定するようにしてもよい。各付加情報は可変長であることを考慮して、データ長を示す「バイト数」と、付加情報自体の組み合わせで構成するものとする。各付加情報の意味は、認識条件種別に対応する条件で規定（定義）されるものとする。
【００７４】
例えば、「特定の人物の顔の特徴と照合して一致度を認識すること」を表す検索条件情報２０３ａは、図７（ａ）のような内容となる。
【００７５】
図７（ａ）に示す認識内容情報１０４ａでは、認識条件種別として、「付加情報１に設定された顔特徴との一致度を顔認識結果データとして生成すること」を示す「１」が設定され、付加情報１として顔特徴情報（３４００バイト）が設定されている。図７（ａ）に示す認識内容情報１０４ａが設定されている場合、顔認識部２０３は、認識条件種別「１」の規定に従って、付加情報１に設定された顔特徴情報（３４００バイト）と、顔映像フレームから取得した顔領域に映った顔の特徴量との一致度を算出して顔認識結果データとして生成する処理を行うことになる。なお、上述の図２（ｂ）と同様に、認識内容情報１０４ａにおいて、付加情報１の顔特徴情報については、顔特徴情報自体ではなく、照合する顔特徴が格納されたデータベースのインデックス（４バイト）で示すようにしてもよい。
【００７６】
また、例えば、「性別・年齢を認識（推定）すること」を表す検索条件情報２０３ａは、図７（ｂ）のような内容となる。図７（ｂ）に示す検索条件情報２０３ａでは、認識条件種別として、「性別・年齢の認識（推定）結果を顔認識結果データとして生成すること」を示す「３」が設定され、付加情報は設定されていない。図７（ｂ）に示す認識内容情報１０４ａが設定されている場合、顔認識部２０３は、認識条件種別「３」の規定に従って、顔映像フレームから取得した顔領域に映った顔の特徴量から、性別及び年齢を認識し、その認識結果を顔認識結果データとして生成する処理を行うことになる。そして、顔検出／認識部１０４は、顔検出処理の結果として顔映像（顔領域）が検出された顔映像フレームについては、第１の実施形態と同様に顔検出結果データを生成する。
【００７７】
また、顔検出／認識部１０４は、顔映像フレームについては、認識内容情報１０４ｂに基づく認識結果を記述した顔認識結果データを生成する。
【００７８】
例えば、認識内容情報１０４ｂが「特性の人物の顔の特徴と照合して一致度を認識すること」という内容だった場合、検索条件情報２０６ａに記述された顔の特徴量と、顔映像フレームから取得した顔映像から取得した特徴量とを比較して、その一致度合の情報（例えば、一致度合示す数値）を顔認識結果データとして生成する。また、例えば、検索条件情報２０６ａが「性別・年齢を認識（推定）すること」だった場合、「女性・２０代」等の認識結果（推定結果）を、顔認識結果データとして生成する。顔検出／認識部１０４において、顔映像に基づく特徴量抽出や、特徴量に基づく認識処理の具体的方式については種々の顔認識方式を適用することができる。
【００７９】
映像圧縮部１０２は、顔検出／認識部１０４による顔検出結果データ（時刻情報）を利用して、カメラ３００から供給されるフレームの圧縮符号化（符号化）を行って、圧縮映像データを生成する。また、映像圧縮部１０２は、第１の実施形態と同様に、顔映像フレームについて圧縮符号化（符号化）を行う際に、顔領域と非顔領域で異なる符号化処理を行うようにしてもよい。
【００８０】
データ出力部１０３は、映像圧縮部１０２で生成された圧縮映像データと、顔検出／認識部１０４で生成された顔検出結果データと、顔認識結果データとを含むデータに基づく所定の形式の圧縮データＤ１１を出力する。データ出力部１０３が圧縮データＤ１１を出力する方式や手段は第１の実施形態と同様であるため詳しい説明は省略する。
【００８１】
次に、復号部２００Ａの構成について説明する。
【００８２】
第２の実施形態の復号部２００Ａでは、顔検出結果読み取り部２０１が顔検出／認識データ読み取り部２０５に置き換わっている。また、第２の実施形態の復号部２００Ａでは、顔映像復号部２０２が対象映像復号部２０６に置き換わっている。さらに、第２の実施形態の復号部２００Ａでは、顔認識部２０３が除外されている。
【００８３】
顔検出／認識データ読み取り部２０５は、供給された圧縮データＤ１１から、圧縮映像データ、顔検出結果データ、及び顔認識結果データを読み込む。
【００８４】
対象映像復号部２０６は、顔検出結果データに含まれる顔映像フレームの時刻情報、及び顔認識結果データに基づいて、保持している検索条件情報２０６ａに該当する顔映像を含む顔映像フレーム（以下、「対象フレーム」と呼ぶ）を検索（特定）する。そして、対象映像復号部２０６は、圧縮映像データから、対象フレームのみを復号した映像（以下、「第３の復号映像」と呼ぶ）を生成する。
【００８５】
検索条件情報２０６ａには、認識内容情報１０４ｂに基づく顔認識結果データと対応する情報（比較可能な情報）が記述される。
【００８６】
例えば、認識内容情報１０４ｂが「特性の人物の顔の特徴と照合して一致度を認識すること」だった場合、顔認識結果データにはその一致度の数値が入力されるため、検索条件情報２０６ａには一致度に対応する閾値を設定することができる。この場合、対象映像復号部２０６は、顔認識結果データに入力された一致度が閾値（認識内容情報１０４ｂとして設定された閾値）以上の顔映像フレームを対象フレームとして検出する。
【００８７】
また、例えば、認識内容情報１０４ｂが「性別・年齢を認識（推定）すること」だった場合、顔認識結果データには認識した性別・年齢が入力されるため、検索条件情報２０６ａには「女性・２０代」等の具体的な性別・年齢（年齢の範囲）を設定することができる。この場合、対象映像復号部２０６は、顔認識結果データに入力された年齢・性別が認識内容情報１０４ｂに設定された「女性・２０代」に該当する顔映像フレームを対象フレームとして検出する。
【００８８】
図８は、検索条件情報２０６ａの構成例について示した説明図である。
【００８９】
図８に示すように、検索条件情報２０６ａは、例えば、検索条件種別を表すコードと、付加情報の組み合わせで構成することができる。また、検索条件情報２０６ａにおいて、検索条件種別に対応する付加情報を複数付加するようにしてもよい。各付加情報は可変長であることを考慮して、データ長を示す「バイト数」と、付加情報自体の組み合わせで構成するものとする。各付加情報の意味は、検索条件種別に対応する条件で規定（定義）されるものとする。
【００９０】
例えば、「特定の人物の顔の特徴と照合して一致度が閾値以上であること」を表す検索条件情報２０３ａは、図８（ａ）のような内容となる。
【００９１】
図８（ａ）に示す検索条件情報２０６ａでは、検索条件種別として、「認識結果データにおける顔特徴との一致度が付加情報１に設定された閾値以上であること」を示す「１」が設定され、付加情報１として一致度閾値（４バイト）が設定されている。図８（ａ）に示す検索条件情報２０６ａが設定されている場合、対象映像復号部２０６は、は、検索条件種別「１」の規定に従って、取得した顔認識結果データの一致度が付加情報１に設定された一致度閾値を超えるか否かを判定する処理を行うことになる。
【００９２】
また、例えば、「女性でかつ２０代（２０才〜２９才）であること」を表す検索条件情報２０３ａは、図８（ｂ）のような内容となる。図８（ｂ）に示す検索条件情報２０３ａでは、検索条件種別として、「認識結果データにおける年齢及び性別が、付加情報１〜３に設定された指定条件に合致すること」を示す「３」が設定され、付加情報１として性別（４バイト）が設定され、付加情報２として年齢範囲下限値（４バイト）が設定され、付加情報３として年齢上限値（４バイト）が設定されている。図８（ｂ）に示す検索条件情報２０６ａが設定されている場合、対象映像復号部２０６は、検索条件種別「３」の規定に従って、顔認識結果データから性別、及び、年齢範囲が付加情報１〜３（女性・２０代）に合致するか否かを判断する処理を行うことになる。
【００９３】
データ出力部１０３は、対象映像復号部２０６が生成した第３の復号映像に基づく出力データＤ２１、又は第３の復号映像の映像信号を出力する。
【００９４】
以上のように、第２の実施形態では、符号化部１００Ａ（撮影側）の顔検出／認識部１０４で、認識内容情報１０４ａに基づく顔認識処理（分析処理）を行い、顔検出結果データを生成している。そして、復号部２００Ａ（検索側）の顔検出／認識データ読み取り部２０５で、顔検出結果データを読み取り、対象映像復号部２０６で検索条件情報２０６ａに該当する対象フレームだけを復号している。
【００９５】
符号化部１００Ａ（顔検出／認識部１０４）及び復号部２００Ａ（対象映像復号部２０６）において、設定する情報（認識内容情報１０４ｂ／検索条件情報２０６ａ）は、ユーザの操作等により任意の情報を設定することが可能である。顔検出／認識部１０４及び対象映像復号部２０６において、設定する情報の入力をユーザから受け付ける方式は限定されないものである。顔検出／認識部１０４及び対象映像復号部２０６では、例えば、テキストファイル等の所定の形式のファイル受信により情報の入力を受け付けるようにしてもよいし、ＧＵＩ等の操作画面（例えば、Ｗｅｂ画面）を用いて入力を受け付けるようにしてもよい。
【００９６】
（Ｂ−２）第２の実施形態の動作
次に、本発明の第２の実施例におけるカメラシステム１Ａの動作について説明する。
【００９７】
まず、第２の実施形態のカメラシステム１Ａにおける画像処理の流れについて説明する。
【００９８】
図９は、カメラシステム１における画像処理の遷移について示した説明図である。
【００９９】
図９（ａ）は、カメラ３００で撮影した映像のフレームの例について示している。図９（ａ）には人物の顔が映ったフレームＦ２０１が図示されている。
【０１００】
図９（ｂ）は、フレームＦ２０１について顔検出／認識部１０４で行った顔検出結果の例を示す図である。図９（ｂ）では、フレームＦ２０１において顔を検出した顔領域を点線で囲って図示している。また、図９（ｂ）では、顔検出／認識部１０４で行った認識結果（認識内容情報１０４ａに基づく認識結果）として、性別・年齢の推定結果（図９（ｂ）では「女性・２０代」）も図示している。
【０１０１】
図９（ｃ）は、フレームＦ２０１について映像圧縮部１０２で圧縮符号化処理（符号化処理）した処理結果（圧縮映像データ）の例について示している。図９（ｃ）では、顔領域の部分を点線で囲み、顔領域以外の部分にハッチ（斜線）を付して図示している。映像圧縮部１０２では、第１の実施形態と同様に、フレームＦ２０１を映像圧縮（符号化）する際に、顔領域の部分（点線で囲まれた部分）について顔領域以外の領域（ハッチを付した部分）と異なる圧縮符号化処理（符号化処理）を行う。
【０１０２】
図９（ｄ）は、顔映像復号部２０２で、顔認識結果データに基づいて、圧縮映像データから検索対象となる顔映像を含むフレームＦ２０１（検索条件情報２０６ａに該当するフレームＦ２０１）を特定し、圧縮映像データからフレームＦ２０１を復号する処理を行う処理（第３の復号映像を生成する処理）について示している。顔映像復号部２０２では、第１の実施形態と同様に、顔の映像を含むフレームＦ２０１を復号する際に、顔領域の部分（点線で囲まれた部分）と、顔領域以外の領域（ハッチを付した部分）について、それぞれ対応する復号処理を行う。
【０１０３】
次に、符号化部１００Ａの動作の例について図１０のフローチャートを用いて説明する。
【０１０４】
まず、カメラ３００で撮像された映像のフレームが符号化部１００Ａに供給されたものとする（Ｓ３０１）。
【０１０５】
次に、顔検出／認識部１０４が、カメラ３００から供給されたフレーム（注目フレーム）について顔検出処理を行い、顔映像（顔領域）が含まれているか否かを判定する（Ｓ３０２）。このとき、顔検出／認識部１０４は、顔の大きさや向きも考慮し、注目フレームに正面から所定以上の大きさで撮影された顔の有無を判定するようにしてもよい。顔検出／認識部１０４は、注目フレームに顔映像（顔領域）が含まれている場合には後述するステップＳ３０３から動作し、そうでない場合には後述するステップＳ３０６から動作する。
【０１０６】
上述のステップＳ３０２で、注目フレームに顔映像が含まれている判定された場合、顔検出／認識部１０４は、当該注目フレームで検出された顔映像を認識内容情報１０４ａに従って認識し、その認識結果を顔認識結果データとして取得する。そして、顔検出／認識部１０４は、当該注目フレームを特定する時刻情報と、当該注目フレーム内の顔領域を特定する位置情報を含む顔検出結果データを生成して取得する（Ｓ３０３）。
【０１０７】
次に、映像圧縮部１０２は、第１の実施形態と同様に顔検出結果データの位置情報に基づいて、注目フレームの顔領域と非顔領域とで異なる圧縮符号化処理（符号化処理）を行い、注目フレームの圧縮映像データを生成する（Ｓ３０４）。
【０１０８】
一方、上述のステップＳ３０２で、注目フレームに顔が映っていないと判定された場合、映像圧縮部１０２は、注目フレームについて、特に区別せずに、全体を圧縮符号化処理（符号化処理）して、注目フレームの圧縮映像データを生成する（Ｓ３０６）。
【０１０９】
上述のステップＳ３０４又はステップＳ３０６で注目フレームの圧縮映像データが生成されると、データ出力部１０３は、当該映像圧縮データを含むデータを、注目フレームの圧縮データＤ１１として出力する（Ｓ３０５）。なお、上述のステップＳ３０３で顔検出結果データ及び顔認識結果データが生成されていた場合、データ出力部１０３は、注目フレームの圧縮データに当該顔検出結果データ及び顔認識結果データも付加する。なお、第２の実施形態において、データ出力部１０３によるデータ出力の方式や手段は第１の実施形態と同様であるため詳しい説明を省略する。
【０１１０】
次に、復号部２００Ａの動作の例について図１１のフローチャートを用いて説明する。
【０１１１】
復号部２００Ａでは、符号化部１００Ａで生成された圧縮データＤ１１が供給されると、顔検出／認識データ読み取り部２０５により、当該圧縮データの顔検出結果データ、及び顔検出結果データが読み取られる（Ｓ４０１）。
【０１１２】
そして、対象映像復号部２０６は、顔検出結果データ及び顔認識結果データに基づいて、検索条件情報２０６ａに該当する対象フレームを特定し、特定された対処フレームについてのみ圧縮映像データから復号して第３の復号映像を得る（Ｓ４０２）。
【０１１３】
次に、結果出力部２０４は、第３の復号映像に基づく出力データＤ２１（又は、第３の復号映像に基づく映像信号）を出力する（Ｓ４０３）。
【０１１４】
その後、復号部２００Ａは、ユーザから対象映像復号部２０６に設定する検索条件情報２０６ａの内容変更を受け付け、繰り返しステップＳ４０１〜Ｓ４０３の処理を実行することが可能である。ユーザは、所望の結果（所望の映像）が得られるまで、繰り返し検索条件情報２０６ａを変更して復号部２００Ａに処理を実行させることができる。
【０１１５】
（Ｂ−３）第２の実施形態の効果
第２の実施形態によれば、第１の実施形態と比較して以下のような効果を奏することができる。
【０１１６】
第２の実施形態では、映像圧縮部１０２で、認識内容情報１０４ｂに従った顔認識処理を行って顔認識結果データを生成し、復号部２００Ａで復号時に読み取らせている。これにより、復号部２００Ａでは、検索条件情報２０６ａと顔映像フレームごとの顔認識結果データとを比較するだけで、検索対象の顔（検索条件情報２０６ａに該当する顔）が映っている対象フレームを特定し、対象フレームだけを復号して出力することができる。例えば、復号部２００Ａにおいて、撮影・蓄積された圧縮映像データから特定の人物（あるいは所定の属性の人物）が写っているシーンを検索表示する場合、すべての映像を復号して顔検出処理や顔認識処理を行うことなく、効率的に検索表示することが可能となる。
【０１１７】
言い換えると、第２の実施形態では、符号化部１００Ａ（撮影側）で顔検出を行う際に顔認識処理まで行っているため、復号部２００Ａ（検索側）で顔認識処理を行うことなく必要な映像を効率的に検索することができる。
【０１１８】
（Ｃ）他の実施形態
本発明は、上記の各実施形態に限定されるものではなく、以下に例示するような変形実施形態も挙げることができる。
【０１１９】
（Ｃ−１）上記の各実施形態のカメラシステム１、１Ａでは、顔検出処理を用いて、顔が写っているフレーム（顔映像フレーム）から特定の人物や所定の属性の人物が写っているフレームを検索表示する場合について説明したが、単に顔が映っているだけでなく、例えば正面から撮影された顔だけが写っている映像（正面顔映像）や、サングラスやマスクなど顔以外の物体が無い顔や、表情が真顔である顔だけを顔映像として検出することで、その後に行う顔認識処理がより正確に行われ、検索表示をさらに効率的に行うことができるようになる。例えば、第１の実施形態の顔検出部１０１や、第２の実施形態の顔検出／認識部１０４で行われる顔検出処理において、上述のように、正面から撮影された顔だけが写っている映像（正面顔映像）や、サングラスやマスクなど顔以外の物体が無い顔や、表情が真顔である顔が含まれるフレームだけを検出するようにしてもよい。
【０１２０】
（Ｃ−２）上記の各実施形態では、圧縮データＤ１０、Ｄ１１の顔検出結果データに顔映像フレームを特定するための時刻情報が含まれているが、圧縮データＤ１０、Ｄ１１において、フレーム単位に顔検出結果データが紐づいたデータ形式とすることをもって、時刻情報を付加（顔検出結果データの一部を付加）するようにしてもよい。フレーム単位に顔検出結果データが紐づいたデータ形式となっていれば、復号部２００、２００Ａ側で顔映像フレームを特定することができる。
【０１２１】
（Ｃ−３）第２の実施形態において、符号化部１００Ａが出力する圧縮データＤ１１において、顔検出結果データに顔領域の位置情報が含まれている旨を説明したが、第２の実施形態の復号部２００Ａでは、顔認識処理を行わないため圧縮データＤ１１の顔検出結果データからは顔領域の位置情報を除外するようにしてもよい。
【符号の説明】
【０１２２】
１…カメラシステム、１００…符号化部、１０１…顔検出部、１０２…映像圧縮部、１０３…データ出力部、２００…復号部、２０１…顔検出結果読み取り部、２０２…顔映像復号部、２０３…顔認識部、２０３ａ…検索条件情報、２０４…結果出力部、３００…カメラ。
【図１】
2018137639.tif 000003
【図２】
2018137639.tif 000004
【図３】
2018137639.tif 000005
【図４】
2018137639.tif 000006
【図５】
2018137639.tif 000007
【図６】
2018137639.tif 000008
【図７】
2018137639.tif 000009
【図８】
2018137639.tif 000010
【図９】
2018137639.tif 000011
【図１０】
2018137639.tif 000012
【図１１】
2018137639.tif 000013